(57)【特許請求の範囲】
【請求項１】
少なくともトップス又はボトムスを含む衣服と、複数の発光素子またはこれら発光素子を直列に接続した発光テープよりなる発光モジュールと、前記発光モジュールの点灯制御を行う制御装置と、エネルギーを供給するバッテリーとを備え、前記発光モジュールを外部から目視可能に前記衣服に配置した発光モジュールを有する衣装等において、
前記発光モジュールは、当該発光モジュールを覆い隠す一方光は透過させる被覆材料で前記衣服に形成された収納部に着脱自在に取り付けられ、
前記発光モジュールは、複数のものが他の発光モジュールを介し相互にコネクタと屈曲可能な電気ケーブルで接続され、
前記発光モジュールは、別に点灯する第一、第二系統発光モジュールとして構成され、体の胴部、腕部及び／又は脚部にその長手方向に前記発光モジュールを沿わせて配置し、これらの右半身及び左半身それぞれにおいて、前記第一、第二系統発光モジュールが前記長手方向に交差する方向に並ぶように配置してあり、
前記収納部は人の関節部分を避けて設けられ、前記関節部分に前記電気ケーブルを位置させてある発光モジュールを有する衣装等。
【請求項２】
前記被覆材料は網目状に構成されたメッシュ生地である請求項１記載の発光モジュールを有する衣装等。
【請求項３】
前記被覆材料はファスナーにより開閉が可能である請求項１又は２記載の発光モジュールを有する衣装等。
【請求項４】
前記ファスナーは前記衣服の外側から開閉可能である請求項３記載の発光モジュールを有する衣装等。
【請求項５】
前記制御装置及び／又は前記バッテリーを前記トップスにおける肩甲骨対応近傍部分に配置してある請求項１〜４のいずれかに記載の発光モジュールを有する衣装等。
【請求項６】
手に装着する手袋を更に備え、各手袋は手の甲側に前記被覆材料を設けた各指に対するポケットを有し、各ポケットには相互に接続された前記発光モジュールを収納してあり、前記発光モジュールから手の甲側に引き出した電気ケーブルと、前記トップスの腕部分から延出させた電気ケーブルとをコネクタにより接続させてある請求項１〜５のいずれかに記載の発光モジュールを有する衣装等。
【請求項７】
足に装着する靴を更に備え、各靴は前記被覆材料により構成したポケットに前記発光モジュールを収納してあり、前記発光モジュールから靴の踵部分を通じて上に引き出した電気ケーブルと、前記ボトムスの足の後ろ側部分から延出させた電気ケーブルとをコネクタにより接続させてある請求項１〜６のいずれかに記載の発光モジュールを有する衣装等。
【請求項８】
頭に装着する弾性部材よりなるインナーと、このインナーに覆い被さる透明または半透明部分を有するアウターとを有するヘルメットを備え、前記インナーの外側に前記発光モジュールを設けてある請求項１〜７のいずれかに記載の発光モジュールを有する衣装等。
【請求項９】
頭に装着する弾性部材よりなるインナーと、このインナーに覆い被さる透明または半透明部分を有するアウターとを有するヘルメットを備え、前記インナーの後頭部側に前記点灯制御装置を固定してある請求項１〜８のいずれかに記載の発光モジュールを有する衣装等。
【請求項１０】
前記被覆材料の内側に、前記発光モジュールの接続ケーブルを留めるベルトと、このケーブル類を隠す裏張りとを備えている請求項１〜９のいずれかに記載の発光モジュールを有する衣装等。
【請求項１１】
前記発光モジュールの裏側に前記発光モジュールより硬質の素材を前記発光モジュールの長手方向に沿わせて設けてある請求項１〜１０のいずれかに記載の発光モジュールを有する衣装等。
【発明の詳細な説明】
【技術分野】
【０００１】
本発明は、少なくともトップス又はボトムスを含む衣服と、複数の発光素子またはこれら発光素子を直列に接続した発光テープよりなる発光モジュールと、前記発光モジュールの点灯制御を行う制御装置と、エネルギーを供給するバッテリーとを備え、前記発光モジュールを外部から目視可能に前記衣服に配置した発光モジュールを有する衣装等に関する。
【背景技術】
【０００２】
複数の発光素子を有する衣装としては、例えば、特許文献１に記載の如き技術が知られている。同文献によれば、衣装またはこれに取り付ける生地自体に穴を開け、こちらにＬＥＤ等の発光ランプを挿通して、強い光強度を確保している。
【０００３】
しかし、例えば、ステージ衣装等の動きが激しく、汗の付着する用途においては、生地自体が頻繁に屈曲されて配線に支障を来し、また、汗により回路が損なわれる虞があった。
【先行技術文献】
【特許文献】
【０００４】
【特許文献１】実開昭６２−５１１１１号公報
【発明の概要】
【発明が解決しようとする課題】
【０００５】
かかる従来の実情に鑑みて、本発明は、例えばダンサーの着用するステージ衣装等、激しい動きを行う環境下でも発光素子の点灯制御をより確実に行うことができ、一部の断線でも外部からみた点灯状態に支障を来しにくい発光モジュールを有する衣装等を提供することを目的とする。
【課題を解決するための手段】
【０００６】
上記目的を達成するため、本発明に係る発光モジュールを有する衣装等の特徴は、少なくともトップス又はボトムスを含む衣服と、複数の発光素子またはこれら発光素子を直列に接続した発光テープよりなる発光モジュールと、前記発光モジュールの点灯制御を行う制御装置と、エネルギーを供給するバッテリーとを備え、前記発光モジュールを外部から目視可能に前記衣服に配置した構成において、前記発光モジュールは、当該発光モジュールを覆い隠す一方光は透過させる被覆材料で前記衣服に形成された収納部に着脱自在に取り付けられ、前記発光モジュールは、複数のものが他の発光モジュールを介し相互にコネクタと屈曲可能な電気ケーブルで接続され、前記発光モジュールは、別に点灯する第一、第二系統発光モジュールとして構成され、体の胴部、腕部及び／又は脚部にその長手方向に前記発光モジュールを沿わせて配置し、これらの右半身及び左半身それぞれにおいて、前記第一、第二系統発光モジュールが前記長手方向に交差する方向に並ぶように配置してあり、前記収納部は人の関節部分を避けて設けられ、前記関節部分に前記電気ケーブルを位置させてあることにある。
【０００７】
同構成によれば、収納部は関節を避けるので、発光モジュールは屈曲しない。しかも、収納部で被覆材料に覆われているので、発光モジュールはダンス等のパフォーマンスでも同収納部から離脱しない。そして、他の発光モジュールを介して接続されているので、必要最小限の配線で済む。しかも、発光モジュールの一部が壊れたら、迅速に交換でき、発光モジュールを外せばクリーニング時の対応も容易である。被覆材料は発光モジュールが光らなければ外から見えず、必要なときだけ光って見えるため、便利である。
【０００８】
また、上記構成において、前記発光モジュールは、別に点灯する第一、第二系統発光モジュールとして構成され、体の胴部、腕部及び／又は脚部にその長手方向に前記発光モジュールを沿わせて配置し、これらの右半身及び左半身それぞれにおいて、前記第一、第二系統発光モジュールが前記長手方向に交差する方向に並ぶように配置する。
【０００９】
同構成によれば、前記第一、第二系統発光モジュールが前記長手方向に交差する方向に並ぶように配置してある。したがって、第一、第二系統のいずれかの発光モジュールが破損しても、他方は点灯しており、切れても目立たない利点を有している。すなわち、系統Ａ，Ｂのいずれかが断線しても、他方が残っていれば、上記の右半身、左半身それぞれにおいて発光モジュールが点灯し、全体が消灯することがないため、パフォーマンスに支障を来しにくい。
【００１０】
上記各構成において、前記被覆材料は網目状に構成されたメッシュ生地としてもよい。また、前記被覆材料はファスナーにより開閉が可能とすることが望ましい。前記ファスナーは前記衣服の外側から開閉可能とするのが便利である。これにより、服を脱がないで損傷した発光モジュールを交換できる。前記制御装置及び／又は前記バッテリーを前記トップスにおける肩甲骨対応近傍部分に配置するとよい。
【００１１】
手に装着する手袋を更に備え、各手袋は手の甲側に前記被覆材料を設けた各指に対するポケットを有し、各ポケットには相互に接続された前記発光モジュールを収納してあり、前記発光モジュールから手の甲側に引き出した電気ケーブルと、前記トップスの腕部分から延出させた電気ケーブルとをコネクタにより接続させてもよい。同構成によれば、損傷した発光モジュールの交換が容易であり、電気ケーブルが外側なので、他方の手に引っ掛かるなどの踊りの妨げになりにくい。
【００１２】
足に装着する靴を更に備え、各靴は前記被覆材料により構成したポケットに前記発光モジュールを収納してあり、前記発光モジュールから靴の踵部分を通じて上に引き出した電気ケーブルと、前記ボトムスの足の後ろ側部分から延出させた電気ケーブルとをコネクタにより接続させてもよい。同特徴によれば、損傷した発光モジュールの交換が容易であり、電気ケーブルが踵側なので、他方の脚のつま先に引っ掛かるなどの踊りの妨げになりにくい。
【００１３】
上記各構成において、頭に装着する弾性部材よりなるインナーと、このインナーに覆い被さる透明または半透明部分を有するアウターとを有するヘルメットを備え、前記インナーの外側に前記発光モジュールを設けてもよい。
【００１４】
また、頭に装着する弾性部材よりなるインナーと、このインナーに覆い被さる透明または半透明部分を有するアウターとを有するヘルメットを備え、前記インナーの後頭部側に前記点灯制御装置を固定してもよい。
【００１５】
前記被覆材料の内側に、前記発光モジュールの接続ケーブルを留めるベルトと、このケーブル類を隠す裏張りとを備えてもよい。
前記発光モジュールの裏側に発光モジュールより硬質の素材を発光モジュールの長手方向に沿わせて設けてもよい。
【発明の効果】
【００１６】
上記本発明に係る複数の発光素子を有する衣装等の特徴によれば、例えばダンサーの着用するステージ衣装等、激しい動きを行う環境下でも発光素子の点灯制御をより確実に行うことができ、一部の断線でも外部からみた点灯状態に支障を来しにくい衣装等を提供できるに至った。
【００１７】
本発明の他の目的、構成及び効果については、以下の発明の実施の形態の項から明らかになるであろう。
【図面の簡単な説明】
【００１８】
【図１】（ａ）は本発明に係る衣装等の発光素子消灯時の正面図、（ｂ）は発光素子点灯時の正面図、（ｃ）はヘルメット装着時の側面図である。
【図２】本発明に係る衣装等の発光素子消灯時の背面図である。
【図３】（ａ）は発光テープの平面及び底面の写真、（ｂ）は発光テープの平面図である。
【図４】（ａ）は発光モジュール収納部のファスナーを解放した状態の拡大写真、（ｂ）は発光モジュール収納部のファスナーを閉じた状態の拡大写真、（ｃ）は発光モジュール収納部のファスナーを解放した状態の拡大写真である。
【図５】発光モジュール収納部の発光テープ長手方向に直交する方向での縦断面図である。
【図６】発光モジュール収納部の発光テープ長手方向に対する方向での縦断面図である。
【図７】照明制御装置の構成図である。
【図８】発光パターン格納サーバの構成図である。
【図９】衣装表面に複数の発光テープを配置するパターンを示す正面図である。
【図１０】衣装表面に複数の発光テープを配置する他のパターンを示す正面図である。
【図１１】靴の斜視図である。
【図１２】（ａ）は、ヘルメットの斜視図（斜め後ろ）であり、（ｂ）はインナーの側面を示す写真である。
【図１３】（ａ）は手袋から発光テープを取り出した状態の写真、（ｂ）は手袋内部の発光テープの配置を示す図、（ｃ）は手袋を装着した状態の写真、（ｄ）は手首近傍の状態を示す写真である。
【図１４】衣装等の内側に配線された発光テープの接続ケーブル及び接続コネクタを衣装等の裏側に固定するための固定用ベルト及びボタンと、それらが体表面に接触することから保護するための裏張りを示す図である。
【図１５】衣装等の内側に配線された発光テープの接続ケーブル及び接続コネクタを衣装等の裏側に固定するための固定用ベルト及びボタン近傍の部分拡大写真である。
【図１６】本発明の第二実施形態にかかる他の衣装等の正面図（写真）である。
【図１７】本発明の第二実施形態に用いる発光モジュールの写真である。
【発明を実施するための形態】
【００１９】
次に、適宜添付図面を参照しながら、本発明をさらに詳しく説明する。
本発明は、図１〜８に示すように、複数の発光素子２０、もしくは発光素子２０を直列に接続した発光テープ等の発光モジュール１０を表面に配置した衣装等１、ヘルメット２、靴３、手袋４、および身体に装着する装飾具と、発光素子２０の発光色を、音楽データに精密に同期して制御することができる照明制御装置２０１と、制御信号を無線もしくは有線の通信手段を用いて送信する制御命令送信装置２５１と、発光モジュール１０の発光パターンを格納し、および制御命令送信装置２５１または照明制御装置２０１に発光パターンを送信する発光パターン格納サーバ３０１から構成される。
【００２０】
発光モジュール１０は、複数の発光素子２０（Ｌ１， Ｌ２， Ｌ３， ・・・ ）で構成される。発光素子２０は、フルカラー電球もしくはフルカラーＬＥＤである。発光モジュール１０は、発光素子２０をリジット基板もしくはフレキシブル基板上に直列または並列に配置した発光テープ１１と、発光テープ末尾１２および発光テープ先頭１３に発光テープ接続ケーブル１４およびケーブル接続コネクタ１５を取り付けたものである。
【００２１】
発光テープ１１は曲げる力に対して脆弱なリジット基板、もしくは過度の屈曲に弱いフレキシブル基板であり、極度に曲げることで基板内部の配線が破断して破損することがある。パフォーマーの装着する衣服の表面は容易に曲がることから、特段の工夫なく衣服表面に発光テープ１１を装着すると、パフォーマーの動作によって衣服表面が屈曲し、発光テープ１１が容易に破損する。また、発光素子２０は衝撃を受けると破損しやすく、また水滴よりショートして破損するという特性をもつ。つまり、発光テープ１１は、衣服の屈曲、外部の衝撃、水滴等から保護された状態で、衣服に取り付ける必要がある。
【００２２】
一方で、発光モジュール１０を保護する同時に、発光モジュール１０が発光した状態が美しく観客に見えること、および発光モジュール１０が破損したときに、容易に発光モジュール１０を交換もしくは修理できる必要がある。発光モジュール１０を保護するために、発光モジュール１０の発光面を被覆するような素材を配置すると、発光状態が十分に観客に見えなくなる。また、発光モジュール１０の保護素材に固くて丈夫な素材を用いると、関節や筋肉の曲げ伸ばしに影響をあたえることからパフォーマーの動作そのものを阻害し、十分なパフォーマンスが行えなくなることがある。
【００２３】
以上のことから、発光モジュール１０を用いるパフォーマンスに使用する衣装等１に発光モジュール１０を配置するときには、発光状態が観客に十分に美しく見えること、発光モジュール１０の故障の発生を防止すること、および発光モジュール１０の故障時の交換または修理が容易であること、パフォーマーの動作を阻害しないことの、四つの条件を満たすことが求められる。しかし、これらの条件はいずれもトレードオフの関係にあり、すべての条件を完全に満たして発光モジュール１０を衣装等に配置することは不可能である。以下、四つの条件のうちの複数の条件を満たし、実際のパフォーマンスで使用する上で十分な性能を発揮することが可能な、発光モジュール１０の加工方法と、衣装等１（ヘルメット２、靴３、手袋４、トップス６及びボトムス７を含む衣服５）に発光モジュール１０を装着する方式について説明する。
【００２４】
図３（ａ）は発光テープ末尾１２に発光テープ接続ケーブル１４を介してケーブル接続コネクタ１５を取り付けた状態である。図３（ｂ）に示すように、発光テープ先頭１３は、発光テープ１１に電力を供給する電力線および接地線、点灯を制御する信号を送信する信号線に対応する３つの導線をもつ発光テープ接続ケーブル１４を取り付け、その先に他のケーブルに接続するためのケーブル接続コネクタ１５を取り付ける。発光テープ１１と発光テープ接続ケーブル１４との間は、熱圧縮チューブもしくはホットボンドを用いて固定し、衝撃などによって発光テープ接続ケーブル１４が発光テープ１１から抜けることを防ぐ。
【００２５】
発光テープ１１は、表面に透明シリコンが塗布されている形態と、透明なシリコンチューブに封入されている形態がある。透明なシリコンチューブに発光テープ１１が封入されている形態の場合、熱圧縮チューブもしくはホットボンドでチューブの開口部を塞ぐことで、水滴がチューブ内部に侵入して発光素子２０を破壊することを防ぐことができる。
【００２６】
発光テープ１１の表面に透明シリコンが塗布されている形態の場合は、シリコンにより発光素子２０が水滴から保護されている。一方で発光テープ１１の裏面にはシリコンが塗布されていない形態もある。その形態の場合は、発光テープ１１の裏面にシリコン等の保護皮膜を形成する素材を塗布することで、水滴から保護する。
【００２７】
発光テープ１１に接続された発光テープ接続ケーブル１４は短く、接続長さが１０ｃｍ以上必要なとき、発光モジュール１０間を中継する他のコネクタ付きケーブルを利用する。一単位の発光モジュール１０である発光テープ１１の両端にそれぞれ設けられるコネクタ１５は、雌雄異なるコネクタ１７，１８であり、連続して直列的に配列することができる。
【００２８】
衣服５は通常トップス６及びボトムス７とよりなるが、図１に示すように、本実施形態では、トップス６及びボトムス７が一体化した所謂ツナギ状の衣服５を用いて説明する。
【００２９】
図４〜６に示すように、衣服５に対する発光モジュール収納部２１は、表面にメッシュ２７とファスナー２５が取り付けられた袋状の構造を呈し、発光モジュール１０を袋内部に完全に収納することができる。図４（ａ）はこの発光モジュール収納部２１に発光モジュール１０を収納し、ファスナー２５を開口した状態、図４（ｂ）はファスナー２５を閉じた状態である。
【００３０】
この衣装等１では、図４〜６に示すように、発光モジュール１０が袋部２４の内部に収納されることから、激しい動作や接触によって発光モジュール１０が脱落したり、移動することがない。また、発光モジュール１０の表面側に被覆材料としてメッシュ２７等の一定量の光が透過するものを用いることで、発光モジュール１０の消灯時にはメッシュ２７が発光モジュール１０を覆い隠す。図１（ａ）は発光モジュール１０の消灯時、図１（ｂ）（ｃ）は発光モジュール１０の点灯時である。この結果、通常の衣服と同様の外観を得ることが可能であり、衣装等１の美観への影響が少ない。このため、発光モジュール１０を点灯している状態以外の、衣装等１の表面が観客の目に直接触れる状態での演技であっても、衣装等１をそのまま用いることも可能である。
【００３１】
発光テープ１１を他の発光テープ１１と直列に接続するときは、発光テープ１１の先頭または末尾に接続した発光テープ接続ケーブル１４を、発光モジュール収納部２１の両端に設置した孔２６を経由して、他の発光テープ接続ケーブル１４に接続する。発光モジュール１０の裏側には、発光モジュール１０より硬質の素材の補強材３１を発光モジュール１０の長手方向に沿わせて設けてもよい。この補強材には、ボリカーボネイト他、弾性を有する合成樹脂等を用いることができる。
【００３２】
図２に示すように、発光モジュール１０の発光を制御する照明制御装置２０１は、ヘルメット２に取り付ける方式と、衣服５に取り付ける方式がある。ヘルメット２に取り付ける方式では、例えば図１２（ｂ）に示すように、照明制御装置２０１はヘルメット２の後頭部の下部に設置し、発光モジュール１０に発光テープ接続ケーブル１４を介して接続する。後頭部の下部に設置することで、他の部位に装着する場合に比べ、ヘルメット２の重心が上昇したり左右の重量バランスが崩れることを防ぐことができるため、パフォーマーの頭部の動作を阻害しにくくなる。
【００３３】
衣服５に照明制御装置２０１を取りつける方式では、ヘルメット２に装着された発光テープ先頭１３に接続された発光テープ接続ケーブル１４は、ヘルメット２の後頭部の上部に配置する。ヘルメット２装着時には、ヘルメット２に装着された発光テープ接続ケーブル１４を、衣服５に設置された照明制御装置２０１に接続された発光テープ接続ケーブル１４と、ケーブル接続コネクタ１５を用いて接続する。発光テープ接続ケーブル１４を後頭部上部に配置することで、パフォーマーが頭を後ろにのけ反らせたときに、発光テープ接続ケーブル１４やケーブル接続コネクタ１５が衣服５の襟首の部分と干渉したり、衣服５の襟や装飾、表面に配置された発光モジュール１０と接触して絡まる事象を防ぐことができる。
【００３４】
図２に示す照明制御装置格納箱１０２は、照明制御装置２０１と照明制御装置２０１の電源１０１とを格納するものである。電源１０１として、リチウムポリマー電池、リチウムフェライト電池、リチウムイオン電池、ニッケル水素電池、鉛電池、乾電池を用いるとよい。電源１０１として電池を用いず、ＡＣアダプタを用いてもよい。
【００３５】
図２に示す照明制御装置収納ポケット１０３は、照明制御装置格納箱１０２を格納し、衝撃や振動から照明制御装置２０１を保護する。照明制御装置収納ポケット１０３は、背面もしくは腰の位置に配置することで、パフォーマーの手足の動きを阻害することなく、照明制御装置格納箱１０２を衣服５に固定することができる。
【００３６】
図２に示すように、照明制御装置収納ポシェット１０４および照明制御装置収納ポシェット取り付けベルト１０５を腰に装着し、照明制御装置収納ポシェット１０４に照明制御装置収納箱１０２を格納し、照明制御装置収納ポシェット取り付けベルト１０５でパフォーマーの身体に固定する。この方法では、衣服５に照明制御装置収納ポケット１０３を作成する加工の必要がない。
【００３７】
図７に照明制御装置２０１の構成を示し、照明制御装置２０１は、通信装置２１１、信号発生装置２１２、発光パターン記憶装置２１３、命令制御装置２１４、認証装置２１５、電力供給装置２１６から構成される。
【００３８】
ひとつの衣装等１の表面に装着された発光素子２０は、個別の識別子ｉをもつ。識別子としては、たとえば各発光素子２０に対して通し番号（１，２，３，・・・）を割り振る方法がある。以下、識別子は数値でｉ（ｉ＝ １， ２， ３， ・・・ ）と表記する。
【００３９】
照明制御装置２０１は、発光テープ１１上の特定の発光素子２０（Ｌｉ）に対して、識別子ｉを指定して、それぞれ独立して発光色（ｒ，ｇ，ｂ）を指定する信号を、信号発生装置２１２により生成し、信号線を経由して送信する。
【００４０】
各発光素子２０（Ｌ１， Ｌ２， ・・・ ）は、電力を供給する電力線（Ｖ）、接地線（ＧＮＤ）、および点灯を制御する信号を信号発生装置２１２が送信する単独または複数の信号線（ＤｉＮ１，ＤｉＮ２，・・・ ）にそれぞれ接続される。各発光テープ接続ケーブル１４は、これら電力線、接地線、信号線の少なくとも３本のケーブルを有している。
信号線が１本の場合は、ＰＷＭ信号により発光色（ｒ，ｇ，ｂ）をデジタル信号として発光素子２０に送信する。発光色（ｒ，ｇ，ｂ）は例えば、それぞれ０から２５５ までの数値で表現する方法がある。たとえば、発光色（２５５，０，０）は輝度が最大の赤色を、（２５５，２５５，２５５）は輝度が最大の白色を、（０，１２７，０）は輝度が最大の半分の緑色を表す。
信号線が複数の場合は、発光色（ｒ，ｇ，ｂ）の信号をデジタル信号として送信する方式と、（ｒ，ｇ，ｂ）のそれぞれの発光の強さをアナログの電圧値で指定する方式がある。
【００４１】
発光素子２０（Ｌｉ）は、点灯および消灯のタイミング、および発光する色（ｒ，ｇ，ｂ）の指定を、信号線を経由して照明制御装置２０１の信号発生装置２１２から受けとり、指定された色に発光することができる。発光素子２０は、発光色（ｒ，ｇ，ｂ）として（０，０，０）を受けとった場合は消灯する。
発光素子２０は、発光に必要な電力を電力線を介して、照明制御装置２０１の電力供給装置２１６から得る。
【００４２】
電力供給装置２１６は、発光素子２０（Ｌｉ）に対する電力の供給を個別に停止することで、その発光素子２０（Ｌｉ）を消灯することができる。電力供給装置２１６は、発光モジュール１０毎に電力供給の制御を行なうことができる。つまり、同じ発光モジュール１０上に配置された発光素子２０すべてを同時に、点灯または消灯することができる。
【００４３】
発光パターンＰは、発光素子２０の識別子ｉ，発光色（ｒ，ｇ，ｂ）および、発光する時刻ｔ（ｍｓ/ミリ秒）の組である発光データｐ＝［ｉ，ｔ，ｒ，ｇ，ｂ］）の列ｐ＝（ｐ１，ｐ２，ｐ３，・・・ ）である。
【００４４】
発光データｐ＝［ｉ，ｔ，ｒ，ｇ，ｂ］は、照明制御装置２０１が、その発光データを含む発光パターンＰを再生開始してからｔミリ秒経過した後に、識別子ｉをもつ発光素子２０の発光色を（ｒ，ｇ，ｂ）で点灯することを意味する。たとえば、発光データｐ＝［１５，１０，２５５，０，２５５］は、識別子が１５である発光素子２０を、発光パターンＰの再生開始後１０ｍｓに発光色（２５５，０，２５５）で点灯することを意味する。
発光データｐ＝［１２５，２０１０，０，０，０］は、識別子が１２５である発光素子２０を、発光パターンＰの再生開始後２０１０ｍｓに消灯することを意味する。
【００４５】
発光パターンＰは、発光パターン記憶装置２１３内の記憶媒体に記録する。記憶媒体としては、ＲＯＭ、フラッシュメモリ、ＳＤカードを用いる。発光パターン記憶装置２１３は複数の発光パターンＰ１，Ｐ２，・・・を記憶媒体内に持つことができる。
【００４６】
命令制御装置２１４は、通信装置２１１を介して受けとった命令に従い、発光素子２０の点灯制御を行なう。命令制御装置２１４は、命令「時刻Ｔから発光パターンＰ１を再生」を受けとった場合、発光パターンＰ１を発光パターン記憶装置２１３より読みとり、発光時刻Ｔ以降の各発光データｐ＝（ｉ，ｔ，ｒ，ｇ，ｂ）について、再生時刻がｔに達したときに発光素子２０（Ｌｉ）に対し、信号発生装置２１２および信号線を介して発光する色（ｒ，ｇ，ｂ）を送信し、発光素子２０（Ｌｉ）を発光させることができる。
【００４７】
命令制御装置２１４は、命令「停止」を受けとったときは、すべての発光素子２０の発光状態を維持したまま、発光パターンＰの再生を停止する。命令制御装置２１４は、命令「全て消灯」を受けとったときは、すべての発光素子２０に対して発光色（０，０，０）の信号を送信するか、または電力供給装置２１６からの電力供給を停止させる。命令制御装置２１４は、命令「発光素子２０ｉを発光色ｒ，ｇ，ｂに発光させる」を受けとったときは、発光素子２０ｉに対して発光色ｒ，ｇ，ｂに発光させる信号を送信する。
【００４８】
命令制御装置２１４が送信する命令Ｃは、命令に対応する数値ｃと、命令を実行するために必要な複数の数値ｖ１，ｖ２，・・・ の組Ｃ＝（ｃ，ｖ１，ｖ２，・・・）として表現する方法がある。たとえば、「再生」命令に対応する数値が２０１であるとき、命令Ｃ＝（２０１，１００，２）は「時刻１００ｍｓから発光パターン番号２を再生」という命令を表わす。
【００４９】
発光パターンＰに対応する認証コードＸを、発光パターンＰと共に発光パターン記憶装置２１３に格納する方式がある。この方式を「認証命令方式」と呼ぶ。認証命令方式を用いるときは、命令Ｃとして、命令に対応する数値ｃと、命令を実行するために必要な複数の数値ｖ１，ｖ２，・・・の組と、認証コードｘの組Ｃ＝（ｃ，ｖ１，ｖ２，・・・，ｘ）を用いる。認証命令方式を用いているときに、命令制御装置２１４が発光パターンＰを再生する命令Ｃを受けとったときは、命令Ｃに含まれる認証コードｘを認証装置２１５に送信する。
【００５０】
認証装置２１５では、発光パターンＰと共に発光パターン記憶装置２１３に格納されている認証コードＸとの照合を行なう。認証装置２１５は照合の成否を命令制御装置２１４に通知する。命令制御装置２１４は、認証の結果が「成功」であった場合にのみ、命令を実行する。認証装置２１５での認証方法としては、たとえば認証コードｘとＸが同一の数字か文字か記号、もしくは同一の数字か文字か記号を組合せた列であった場合にのみ、認証の成功を通知し、それ以外の場合は認証の失敗を通知する方法がある。認証コードの照合の方法として、認証コードｘにＭＤ５、ＳＨＡ１等のハッシュ値変換アルゴリズムを適用し、変換されたハッシュ値が認証コードＸと一致するかを照合する方法もある。
【００５１】
図７に示す制御命令送信装置２５１は、通信装置２６１、命令選択装置２６２、音楽データ再生装置２６３から構成される。制御命令送信装置２５１は、音楽データの再生と同期して発光パターンの再生命令を照明制御装置２０１に通信装置２６１を介して送信することで、音楽データの再生のタイミングと発光パターンの再生タイミングを同期することができる。制御命令送信装置２５１は、複数の衣装等１に装着された、複数の照明制御装置２０１に、発光パターンの選択、再生、停止、再開および特定の発光素子２０を特定の色で発光させる命令を、無線通信を用いて送信できる機能をもつ。
【００５２】
システムのユーザは、制御命令送信装置２５１の命令選択装置２６２を使用して、命令を送信する照明制御装置２０１と、発光パターンの選択、再生、停止、再開および特定の発光素子２０を特定の色で発光させる命令を選択する。
【００５３】
命令選択装置２６２は、命令の一覧を表示する表示部と、命令の一覧から命令を選択し命令の実行に必要なパラメータを入力できる入力部をもつ。命令選択装置２６２は、ユーザが入力部を用いて選択した命令を、通信装置２６１を介して、ユーザが選択した単一の、または複数の照明制御装置２０１に送信する。命令選択装置２６２は、ユーザが発光パターンＰを時刻ｔから再生する命令を選択したとき、照明制御装置２０１に当該の命令を送信すると同時に、音楽データ再生装置２６３に対して、ユーザが選択した音楽データを時刻ｔから再生する。この方法により、制御命令送信装置２５１の再生する音楽データの再生タイミングと、ユーザの選択した照明制御装置２０１の発光パターンＰの再生タイミングを正確に同期させることができる。通信装置２６１が使用する通信プロトコルとしては、Ｗｉ−Ｆｉ，Ｂｌｕｅｔｏｏｔｈ（登録商標），ＺｉｇＢｅｅ／ＩＥＥＥ８０２．１４．５がある。
【００５４】
制御命令送信装置２５１は、音楽データ再生装置２６３を内蔵せず、他の音楽データを再生することが可能な装置に、特定の音楽を特定の時刻から再生する命令、再生を停止する命令、再生する音楽データを選曲する命令を送信する方法もある。
【００５５】
図８に発光パターン格納サーバ３０１、パターン登録ユーザ装置３０２、パターン受信ユーザ装置３０３の構成を示す。発光パターン格納サーバ３０１は、データベース３１１、登録装置３１２、認証装置３１３、配信装置３１４で構成される。発光パターン格納サーバ３０１は、ユーザが作成した発光パターンＰを、パターン登録ユーザ装置３０２より受信し、登録装置３１２を介してデータベース３１１に、発光パターンＰに関連付けられた音楽データの識別子Ｍと共に記録する機能をもつ。発光パターン格納サーバ３０１は、データベース３１１に登録された発光パターンＰと、その発光パターンＰに関連付けられた音楽データの識別子Ｍを、配信装置３１４を介してパターン受信ユーザ装置３０３に配信する機能をもつ。
【００５６】
パターン受信ユーザ装置３０３は、受信した発光パターンＰを記憶媒体に格納する機能と、照明制御装置２０１に無線通信を介して発光パターンＰを送信する機能をもつ。発光パターンＰを格納した記憶媒体は、照明制御装置２０１の発光パターン記憶装置２１３の記憶媒体として用いることができる。
【００５７】
登録装置３１２はパターン登録ユーザ装置３０２からインターネット、有線ＬＡＮ、無線ＬＡＮを介して発光パターンＰを受けとることができる。配信装置３１４は、パターン受信ユーザ装置３０３にインターネット、有線ＬＡＮ、無線ＬＡＮを介して発光パターンＰを送信することができる。登録装置３１２および配信装置３１４として、ＨＴＴＰサーバを使用する方法がある。
【００５８】
発光パターン格納サーバ３０１が発光パターンＰを配信装置３１４を介して配信するとき、認証装置３１３が生成した認証コードＸを同時に送信する方法がある。認証コードＸを送信する場合は、照明制御装置２０１は認証命令方式を用いて発光パターンＰの再生を行なう。認証命令方式を用いる場合で、なおかつ発光パターンＰをパターン受信ユーザ装置３０３から照明制御装置２０１に送信する場合は、照明制御装置２０１は発光パターンＰと共に認証コードＸを発光パターン記憶装置２１３に記録する。
【００５９】
図９は衣装等１表面に複数の発光モジュール１０を配置するときに、発光モジュール１０のＡ，Ｂふたつの配線系統５１について、それぞれの配線系統５１に含まれる発光モジュール１０を、衣装等１表面に配線系統５１ごとに横方向に交互に配置した状態を示した図である。
【００６０】
発光モジュール１０は、前述のように複数の発光モジュール１０を発光テープ接続ケーブル１４を使用して、直列に接続して使用することができる。直列に接続された複数の発光モジュール１０の組のことを、発光モジュール１０の配線系統５１と呼ぶ。
【００６１】
発光モジュール１０は故障により断線が生じると、その箇所以降の発光素子２０が発光しなくなる。つまり、複数の発光モジュール１０を直列に接続して使用する場合、途中の発光モジュール１０に故障が生じると、その発光テープ末尾１２に接続されている他の発光モジュール１０は、すべて発光しなくなる。
衣装等１に設置する発光モジュール１０の配線系列５１がひとつである場合、その配線系列５１の先頭の発光モジュール１０に故障が生じると、衣装等１のほぼすべての発光素子２０が光らなくなる。
【００６２】
発光モジュール１０を衣装等１に設置するときに、発光モジュール１０を複数の配線系統５１に分割し、ひとつの配線系統５１内の発光モジュール１０が故障したときに、衣装等１の大部分の発光モジュール１０が発光しなくなる状態になることを防ぐ方法がある。
配線系統５１の配置方法として、図９に示すように、衣装等１表面にそれぞれの配線系統５１を横方向に交互に配置する、並列配線法がある。この方法では、属する配線系統５１の異なる発光モジュール１０を交互に配置することで、一方の配線系統５１が故障により発光しなくなったとしても、もう一方の配線系統５１の発光モジュール１０が発光するため、観客からは発光モジュール１０の故障に気がつきにくくなる。左右の靴３、手袋４に使用する配線系統５１も分けることで、片側の配線系統５１に故障が生じた場合でも、左右いずれかの靴３もしくは手袋４が発光することから、観客には発光モジュール１０が故障したことに気がつきにくくなる。
【００６３】
図１０は配線系統５１の配置方法として、衣装等１表面にそれぞれの配線系統５１をひとつのラインの中で、縦方向に交互に配置する直列配置法を用いて発光モジュール１０を配置した図である。この配置法では、片側の配線系統５１に故障が生じた場合は、複数のラインが発光しているように見えることから、観客が故障により気がつきにくくなる。
【００６４】
靴３に対する発光モジュール１０の取付は、図２及び図１１に示すように、靴３の底面の素材の縁（外周）に沿うように、両面テープ、接着剤などを用いて固定する。さらに、発光モジュール１０を覆うようにメッシュ素材もしくは柔軟性のある透明なシリコン素材を保護材として取り付け、保護材をステープラで底面の素材に固定する。この方法で発光モジュール１０を固定すると、靴３の底面素材の縁は通常は固い素材であることから、パフォーマーが運動を行なった場合にも、発光モジュール１０に屈曲の力がかかりにくいため、発光モジュール１０の破損を防げる。
同時に、靴３の外周に発光素材が配列されることから、観客からは靴３の広い部分が発光しているように見え、高い演出効果が得られる。
靴３の縁以外に発光モジュール１０を配置する場合は、衣装等１への配置または手袋４への配置と同じ方法を用いることができる。
【００６５】
靴３に配置した発光モジュール１０を制御する照明制御装置２０１を接続する方法は、靴３または足首に取り付けた照明制御装置２０１に直接発光モジュール１０を接続する方法と、衣装等１に取り付けた照明制御装置２０１に直接取りつけられた、もしくは照明制御装置２０１の先に取りつけられた別の発光テープ末尾１２に取りつけられた発光テープ接続ケーブル１４に、靴３の発光テープ先頭１３に取りつけられた発光テープ接続ケーブル１４を接続する方法がある。後者の方法の場合、接続後の発光テープ接続ケーブル１４の長さが余ったときは、靴３の踵上部に取り付けた固定用ベルト２９を用いて発光テープ接続ケーブル１４を固定する。
【００６６】
靴３の踵上部には、固定用ベルト２９が取り付けられている。靴３側の発光テープ接続ケーブル１４に衣装等１側の発光テープ接続ケーブル１４を接続した後に、固定用ベルト２９を用いて発光テープ接続ケーブル１４をまとめ、踵上部に発光テープ接続ケーブル１４を固定する。
この固定を行うことで、発光テープ接続ケーブル１４がパフォーマンス中に靴３の動きを阻害したり、他の部位に接触して絡んだり、ステージ上に起かれた物品と干渉するといった事象を防ぐことができる。
【００６７】
図１，２，１２に示すヘルメット２は、人体を衝撃から保護する柔らかいウレタン等の保護素材（弾性部材）で構成されるインナー２ａと、保護素材の外側に取り付けるポリカーボネート等の透明で硬質の素材で構成されるアウター２ｂからなる。
インナー２ａの外側には、発光モジュール１０が、面ファスナー２３、接着剤、両面テープ等を用いて装着される。この発光モジュール１０を装着した保護素材の外側に、透明かつ硬質の素材の部位を取り付ける。このように発光モジュール１０を取り付けることで、発光モジュール１０を外部の衝撃から保護することができるとともに、発光モジュール１０の発光状態をヘルメット２の外から十分に見ることができる。また、発光モジュール１０の装着面に黒い素材を用いることで、発光モジュール１０が消灯している状態や、周囲が明るい状態であっても、ヘルメット２内部の発光モジュール１０が外から見えにくくなる。この方法より、ヘルメット２の美観を損なうことなく、なおかつ発光した状態が観客からもよく見えるように、発光モジュール１０をヘルメット２に装着することができる。
【００６８】
図１，２，１３に示す手袋４（グローブ）は、袋部２４の上面を覆うようにメッシュ２７を張り、手甲面に各指の筋に沿うようにそれぞれ袋状の発光モジュール収納部２１を作成する。メッシュ２７は手首部分以外は手袋４に縫合し、手首部分には面ファスナー２３を取りつけ、容易に開閉できる状態にする。発光モジュール１０は、指に対応する発光モジュール収納部２１ごとに１本ずつ分割して作成し、それぞれのテープを直列または並列に発光テープ接続ケーブル１４で接続する。分割して作成した発光モジュール１０を、それぞれの指の筋に対応する発光モジュール収納部２１内に設置する。袋部２４に発光モジュール１０を装着した後に、メッシュ２７に取りつけた面ファスナー２３で手袋４に固定する。発光テープ先頭１３の発光テープ接続ケーブル１４は、面ファスナー２３の左右いずれかの隙間からメッシュ２７外に出るように配置する。
【００６９】
指の筋に沿って作成した発光モジュール収納部２１内に発光モジュール１０を配置することで、発光モジュール１０の発光時に手の形状が遠い場所からでも十分視認できるようになり、パフォーマーが手を用いた演技を効果的に行うことができる。発光モジュール１０を袋部２４をもつ発光モジュール収納部２１に配置することで、手の激しい動きに対しても、発光モジュール１０が移動することなく一定の位置に留まり、形状を維持することができる。発光モジュール収納部２１をメッシュ２７と面ファスナー２３で固定する方式を用いることで、発光モジュール１０の故障時にメッシュ２７を外して発光モジュール１０を交換することが容易になる。
発光モジュール収納部２１を透明のビニール等の素材で固定する方法もある。この方法の場合は、メッシュ２７に比べて光の透過度が上昇し、衝撃に対する保護性能が上昇する。
【００７０】
手袋４に配置した発光モジュール１０を制御する照明制御装置２０１を接続する方法は、手袋４または手首に取り付けた照明制御装置２０１に直接発光モジュール１０を接続する方法と、衣装等１に取り付けた照明制御装置２０１に直接取りつけられた、もしくは照明制御装置２０１の先に取りつけられた別の発光テープ末尾１２に取りつけられた発光テープ接続ケーブル１４に、手袋４の発光テープ先頭１３に取りつけられた発光テープ接続ケーブル１４を接続する方法がある。後者の方法の場合、接続後の発光テープ接続ケーブル１４の長さが余ったときは、手袋４の手首に取り付けた面ファスナーに挟み込むことで発光テープ接続ケーブル１４を固定する。これを行うことで、手首の動きが阻害されない自由度を保ちつつ、他の部位に接触して絡んだり、ステージ上で他のパフォーマーに干渉するといった事象を防ぐことができる。また、激しい動きによって手袋４の発光モジュール１０が抜け落ちることもない。
【００７１】
図１４、図１５は衣装等１の内側に配線された発光テープ接続ケーブル１４およびケーブル接続コネクタ１５を、衣装等１の裏側に固定するための固定用ベルト２９およびベルト固定手段の一例である固定用ボタン２８と、それらが体表面に接触することから保護するための裏張り３０である。
発光テープの末尾もしくは先頭に接続された発光テープ接続ケーブル１４を衣装等１内部に配線するときは、固定用ベルト２９もしくは固定用ボタン２８を用いて衣装等１裏側に固定し、パフォーマーの動作によって発光テープ接続ケーブル１４が移動することによりパフォーマーの動作を妨げることを防止する。さらに、これらの発光テープ接続ケーブル１４の上に裏張り３０を張ることで、発光テープ接続ケーブル１４がパフォーマーの体に直接触れることを防ぐ。裏張り３０の縁にはファスナー２５を取りつけることで、裏張り３０の取り外しを容易に行えるようにすることで、衣装等１のメンテナンスのために発光テープ接続ケーブル１４を接続する作業や、取り外す作業を容易に行なえるようにする。裏張り３０として、メッシュ状の素材を用いる方法がある。
【００７２】
次に、本発明の他の実施形態の可能性について言及する。上記各実施形態と同様の構成には同じ符号を附すものとする。また、上記及び下記各実施形態は、発明の主旨を損なわない限り、各々組み合わせて実施が可能である。
【００７３】
図１６，１７に示す本発明の第２実施形態では、発光モジュール１０を面ファスナー２３を用いて装着している。衣装等１の表面と発光テープ１１の背面に面ファスナー２３を取りつけることで、面ファスナー２３を用いて発光モジュール１０を容易に脱着することができる。この衣装等１では、発光モジュール１０の故障時に発光モジュール１０を交換することが容易である。また、発光モジュール１０を取り外して衣装等１の洗浄を行なうことも容易である。
【００７４】
さらに、衣装等１を装着するパフォーマーの体格にあわせて、発光モジュール１０を取り付ける位置を調整することができる。たとえば、小柄なパフォーマーが装着する場合には、衣装等１の袖の長さを縮める必要がある。このような場合に、面ファスナー２３で発光モジュール１０を取り付けている場合は、発光モジュール１０の取り付け位置を肘側に移動することが容易にできる。
【００７５】
通常の衣服の上に、発光モジュール１０を配置したウレタン等の硬質の素材で作成したベスト、小手、脛あて様の部位を、鎧もしくはプロテクターを取りつけるかのようにして装着する方式もある。
この方式は、硬質の素材の上に発光モジュール１０を配置することから、発光モジュール１０が屈曲の力を受けることがなく、屈曲による故障の発生を大幅に防ぐことができる。発光モジュール１０の表面に、ポリカーボネート等の透明且つ硬質の素材を取り付け、衝撃や水滴からの保護を行なうことも容易となる。また、各部位が独立していることから、小手だけを取り替えたり、ベストだけを取りかえるといった交換が容易に行なえる。
【００７６】
上記各実施形態では、発光モジュール１０の両端部にケーブルを介してからコネクタを接続したが、コネクタの一方を直接発光モジュール１０に接続したり、直接発光モジュール１０の両端にコネクタを直接接続し、コネクタ付きのケーブルでこれらを接続しても構わない。加工の便宜さでは、発光モジュール１０にケーブルを介してコネクタを接続する構成が優れている。
【００７７】
頭部へは、ヘルメットの代わりに帽子を装着してもよい。この場合、発光モジュール１０はメッシュ２７等を介して取り付けると良い。
【００７８】
本明細書で、衣装等１は、トップス６及びボトムス７を含む衣服５の他、手袋４、靴３、ヘルメット２等を含むものである。
【産業上の利用可能性】
【００７９】
本発明は、ダンサー、ミュージシャンその他の芸能関係者がステージで着用するステージ衣装や、交通安全のための着衣、視認性の必要な現業作業での作業服等、発光素子の点灯及びその制御が必要なあらゆる局面で利用することが可能である。
【符号の説明】
【００８０】
１：衣装等、２：ヘルメット・帽子、２ａ：インナー、２ｂ：アウター、３：靴、４：手袋、５：衣服、６：トップス、７：ボトムス、１０：発光モジュール、１１：発光テープ、１２：発光テープ末尾、１３：発光テープ先頭、１４：発光テープ接続ケーブル、１５：ケーブル接続コネクタ、１７：コネクタ（雌）、１８：コネクタ（雄）、２０：発光素子、２１：発光モジュール収納部、２２：発光素子保護材、２３：面ファスナー（マジックテープ（登録商標））、２４：袋部、２５：ファスナー、２６：孔、２７：メッシュ、２８：固定用ボタン、２９：固定用ベルト、３０：裏張り、３１：補強材、４１：断線検出用ケーブル、４２：断線検出用ケーブル用コネクタ、４３：分岐用コネクタ、５１：配線系統、１０１：電源、１０２：照明制御装置収納箱、１０３：照明制御装置収納ポケット、１０４：照明制御装置収納ポシェット、１０５：照明制御装置収納ポシェット取り付けベルト、２０１：照明制御装置、２１１：通信装置、２１２：信号発生装置、２１３：発光パターン記憶装置、２１４：命令制御装置、２１５：認証装置、２１６：電力供給装置、２５１：制御命令送信装置、２５２：通信装置、２５３：命令選択装置、３０１：発光パターン格納サーバ、３０２：パターン登録ユーザ装置、３０３：パターン受信ユーザ装置、３１１：データベース、３１２：登録装置、３１３：認証装置、３１４：配信装置
【図１】
0006429156.tif 000002
【図２】
0006429156.tif 000003
【図３】
0006429156.tif 000004
【図４】
0006429156.tif 000005
【図５】
0006429156.tif 000006
【図６】
0006429156.tif 000007
【図７】
0006429156.tif 000008
【図８】
0006429156.tif 000009
【図９】
0006429156.tif 000010
【図１０】
0006429156.tif 000011
【図１１】
0006429156.tif 000012
【図１２】
0006429156.tif 000013
【図１３】
0006429156.tif 000014
【図１４】
0006429156.tif 000015
【図１５】
0006429156.tif 000016
【図１６】
0006429156.tif 000017
【図１７】
0006429156.tif 000018